(57)【要約】【課題】複数の可動片を退避位置と突出位置との間で姿勢を変化させながら往復移動させることができる可動役物装置を提供する。【解決手段】可動役物装置３８は、モータ４１を駆動源として退避位置と突出位置を往復移動する移動ベース４２と、移動ベース４２に回転可能に保持された複数の可動片４３とを備えており、各可動片４３はその回転中心から離間する位置にガイドピン５７ｂを有している。支持ベース４０には複数のガイド溝４０ａが設けられており、各可動片４３のガイドピン５７ｂは対応するガイド溝４０ａに摺動可能に挿入されている。各ガイド溝４０ａは移動ベース４２の移動方向に対して交差しており、移動ベース４２が退避位置と突出位置との間を移動すると、各可動片４３は回転中心とガイドピン５７ｂとで規定される姿勢に変化しながら移動ベース４２と一緒に移動する。【選択図】図９
2014033863.tif 000002
【特許請求の範囲】
【請求項１】
遊技機の所定位置に固定されたベース部材と、このベース部材に搭載されたモータと、このモータを駆動源として退避位置と突出位置との間を往復移動する移動ベースと、この移動ベースに回転可能に保持された複数の可動片とを備え、これら可動片が前記移動ベースの移動方向と直交する方向に沿って一列に配置されている可動役物装置において、
前記ベース部材に前記可動片に対応する複数のガイド溝が設けられていると共に、これらガイド溝の少なくとも１つが前記移動ベースの移動方向に対して交差しており、前記可動片はその回転中心から離間する位置にガイドピンを有し、このガイドピンが対応する前記ガイド溝に摺動可能に挿入されていることを特徴とする可動役物装置。
【請求項２】
請求項１の記載において、前記移動ベースの前方に従動ベースが配置されており、この従動ベースに前記各可動片と重なるように複数の突出片が設けられていると共に、前記移動ベースに連動して前記従動ベースが退避位置と突出位置との間を移動可能となっていることを特徴とする可動役物装置。
【請求項３】
請求項１または２の記載において、前記移動ベースに複数の前記可動片を介して平行に対向する一対のラックが設けられており、前記ベース部材に前記モータに連動して回転するシャフトが支持されていると共に、このシャフトの両端部に固着されたピニオンが前記ラックに噛合しており、前記シャフトの回転に基づいて前記ラックを介して前記移動ベースが往復移動することを特徴とする可動役物装置。
【請求項４】
請求項１〜３のいずれか１項の記載において、前記各ガイド溝は前記移動ベースの移動方向に対して異なる角度で交差する直線状ガイド溝であり、そのうち、中央側のガイド溝よりも外側のガイド溝の方が大きな交差角度に設定されていることを特徴とする可動役物装置。
【請求項５】
請求項４の記載において、前記遊技機の前面に遊技の演出に係る演出画像を表示可能な表示画面が配設されていると共に、この表示画面の左右両側に前記移動ベースがそれぞれ配置されており、これら一対の移動ベースが退避位置から突出位置に向かって移動するとき、複数の前記可動片はそれぞれの先端部を近付けるように回転することを特徴とする可動役物装置。
【発明の詳細な説明】
【技術分野】
【０００１】
本発明は、パチンコ機等の遊技機に備えられる可動役物装置に関するものである。
【背景技術】
【０００２】
パチンコ機に代表される遊技機の中には、遊技盤の遊技領域に可変表示装置や始動入賞口やアタッカ装置等を設け、遊技領域に向けて発射された遊技球が始動入賞口に入賞したことを契機に電子抽選を行い、その抽選結果に基づいて可変表示装置が図柄の変動表示および変動停止を行うようにした機種が数多く存在する。電子抽選の抽選結果には当たりとハズレがあり、抽選結果が当たりの場合には、可変表示装置の表示画面に特定の図柄が表示され、通常モードから特別遊技モードへと移行する。この特別遊技モードでは、アタッカ装置の開閉扉が開放動作して大入賞口を露呈させるので、露呈した大入賞口に遊技球が入りやすくなって遊技者は多くの賞球を獲得できるようになる。
【０００３】
この種のパチンコ機において、可動態様を変化させることができる可動体を可変表示装置の周囲の任意位置に配置し、電子抽選の抽選結果に基づく可変表示装置の表示内容と可動体の可動態様とを組み合わせることにより、興趣性の高い演出を行うようにした可動役物装置が広く採用されている。可動体はモータ等を駆動源として種々の動きを行うようになっており、その一例として、移動ベースや可動板等を有する可動物ユニットを可変表示装置の左右両側に配置し、これら可動物ユニットの移動ベースと可動板を可変表示装置の表示画面前方で左右方向に往復移動させるようにした可動役物装置が従来より知られている（例えば、特許文献１参照）。
【０００４】
特許文献１に開示された可動役物装置において、一方の可動物ユニットは、遊技盤に固定されたベース部材と、ベース部材に移動可能に支持された移動ベースと、移動ベースを駆動する駆動機構と、移動ベースに連動して移動する可動板等によって構成されており、他方の可動物ユニットも同様の構成となっている。駆動機構はベース部材に軸支された揺動アームを有しており、モータを駆動源として揺動アームが回転すると、移動ベースは前端位置と後端位置との間を移動する。可動板には爪を模した複数の第１可動片が上下方向に所定間隔を存して固定されており、各第１可動片の一端部は移動ベースに回転可能に連結されている。また、各第１可動片の他端部はベース部材のガイド孔に挿入されており、駆動機構によって移動ベースが移動すると、それに連動して可動板は退避位置と突出位置との間を往復移動する。ベース部材にも爪を模した複数の第２可動片が固定されており、退避位置では、これら第１可動片と第２可動片は上下方向に交互に配列されている。
【０００５】
このように概略構成された従来の可動役物装置では、左右の可動物ユニットの可動板が退避位置にあるとき、複数の第１可動片と第２可動片は同一平面上で上下方向に一列に並んでいる。この状態で駆動機構のモータを作動させて揺動アームが一方向へ回転すると、移動ベースが前端位置から後端位置に向かって移動し、それに伴って可動板が退避位置から突出位置に向かって移動する。その結果、ベース部材に固定された各第２可動片は移動せずに退避位置に残るが、可動板に固定された各第１可動片は可動板と一体的に移動し、これら第１可動片の先端側が表示画面の側方から突出する。また、この状態でモータを逆向きに作動させて揺動アームが他方向へ回転すると、移動ベースと可動板は突出位置から退避位置に向かって移動し、それに伴って第１可動片も退避位置に戻る。
【先行技術文献】
【特許文献】
【０００６】
【特許文献１】特開２０１１−１１５３２８号公報
【発明の概要】
【発明が解決しようとする課題】
【０００７】
前述した従来の可動役物装置は、爪形状をした複数の第１可動片と第２可動片を退避位置で上下に一列に並べたり、各第１可動片だけを退避位置と突出位置との間で往復移動させることができるため、第１可動片の動きと可変表示装置の表示内容とを関連付けることで遊技の演出効果を高めることができる。しかしながら、複数の第２可動片はベース部材に固定されたまま移動せず、可動板に固定された複数の第１可動片も常に同じ姿勢で移動するようになっているため、第１可動片や第２可動片の可動態様が比較的単調になってしまうという難点があった。
【０００８】
本発明は、このような従来技術の実情に鑑みてなされたもので、その目的は、複数の可動片を退避位置と突出位置との間で姿勢を変化させながら往復移動させることができる可動役物装置を提供することにある。
【課題を解決するための手段】
【０００９】
上記の目的を達成するために、本発明は、遊技機の所定位置に固定されたベース部材と、このベース部材に搭載されたモータと、このモータを駆動源として退避位置と突出位置との間を往復移動する移動ベースと、この移動ベースに回転可能に保持された複数の可動片とを備え、これら可動片が前記移動ベースの移動方向と直交する方向に沿って一列に配置されている可動役物装置において、前記ベース部材に前記可動片に対応する複数のガイド溝が設けられていると共に、これらガイド溝の少なくとも１つが前記移動ベースの移動方向に対して交差しており、前記可動片はその回転中心から離間する位置にガイドピンを有し、このガイドピンが対応する前記ガイド溝に摺動可能に挿入されている構成とした。
【００１０】
このように構成された可動役物装置では、移動ベースが退避位置で停止しているとき、複数の可動片のガイドピンはそれぞれベース部材の対応するガイド溝に係合しており、これらガイドピンとガイド溝の係合位置によって各可動片は所定の姿勢に拘束されている。この状態でモータを作動させて移動ベースが退避位置から突出位置に向かって移動すると、可動片の回転中心は移動ベースの移動方向と平行に移動し、可動片のガイドピンはガイド溝に沿って移動する。したがって、ガイド溝が移動ベースの移動方向に対して交差していると、このガイド溝に係合するガイドピンを有する可動片は移動ベースの移動に伴って回転しながら突出位置へと向かい、この可動片の姿勢は退避位置と突出位置とで変化する。
【００１１】
上記の構成において、移動ベースの前方に従動ベースが配置されており、この従動ベースに各可動片と重なるように複数の突出片が設けられていると共に、移動ベースに連動して従動ベースが退避位置と突出位置との間を移動可能となっていると、移動ベースに保持された各可動片と従動ベースに設けられた各突出片との動きによって、インパクトの高い可動演出を行うことができる。
【００１２】
また、上記の構成において、移動ベースに複数の可動片を介して平行に対向する一対のラックが設けられており、ベース部材にモータに連動して回転するシャフトが支持されていると共に、このシャフトの両端部に固着されたピニオンがラックに噛合しており、シャフトの回転に基づいてラックを介して移動ベースが往復移動するようになっていると、長尺な移動ベースであっても捻れを生じることなくスムーズに移動することができる。
【００１３】
また、上記の構成において、各ガイド溝は移動ベースの移動方向に対して異なる角度で交差する直線状ガイド溝であり、そのうち、中央側のガイド溝よりも外側のガイド溝の方が大きな交差角度に設定されていると、各可動片が回転しながら放射状の姿勢になるという動きを実現できる。
【００１４】
この場合において、遊技機の前面に遊技の演出に係る演出画像を表示可能な表示画面が配設されていると共に、この表示画面の左右両側に移動ベースがそれぞれ配置されており、これら一対の移動ベースが退避位置から突出位置に向かって移動するとき、複数の可動片がそれぞれの先端部を近付けるように回転するように構成すると、左右両側から複数の可動片が表示画面の中心に向かって突出する、という斬新でインパクトの高い可動態様を実現することができる。
【発明の効果】
【００１５】
本発明の可動役物装置は、移動ベースに回転可能に保持された複数の可動片が自身の回転中心から離間する位置にガイドピンを有しており、ベース部材に設けられた複数のガイド溝に各可動片のガイドピンが摺動可能に挿入されていると共に、これらガイド溝の少なくとも１つが移動ベースの移動方向に対して交差しているため、移動ベースが退避位置から突出位置に向かって移動するとき、可動片の回転中心は移動ベースの移動方向と平行に移動するが、可動片のガイドピンはガイド溝に沿って斜めに移動することになり、複数の可動片を退避位置と突出位置との間で姿勢を変化させながら往復移動させるという、インパクトの高い可動態様を実現することができる。
【図面の簡単な説明】
【００１６】
【図１】パチンコ機の外観を示す斜視図である。
【図２】図１に示すパチンコ機の前面扉を開放した状態の斜視図である。
【図３】図１に示すパチンコ機の背面図である。
【図４】図１のパチンコ機に備えられる遊技盤の正面図である。
【図５】実施形態例に係る可動役物装置を前方から見た斜視図である。
【図６】該可動役物装置を後方から見た斜視図である。
【図７】該可動役物装置の正面図である。
【図８】該可動役物装置の側面図である。
【図９】該可動役物装置の裏面図である。
【図１０】図７のＡ−Ａ線に沿う断面図である。
【図１１】該可動役物装置の内部構造を示す裏面図である。
【図１２】該可動役物装置を前方から見た分解斜視図である。
【図１３】該可動役物装置を後方から見た分解斜視図である。
【図１４】該可動役物装置に備えられる可動片の正面図である。
【図１５】図１４のＢ−Ｂ線に沿う断面図である。
【図１６】該可動役物装置に備えられる配線基板を後方から見た斜視図である。
【図１７】該可動役物装置の動作状態を示す斜視図である。
【図１８】図１７に示す可動役物装置を後方から見た斜視図である。
【図１９】図１７に示す可動役物装置の正面図である。
【図２０】図１７に示す可動役物装置の裏面図である。
【図２１】図１９のＣ−Ｃ線に沿う断面図である。
【図２２】該可動役物装置の内部構造を模式的に示す説明図である。
【図２３】該可動役物装置が動作状態にあるときの遊技盤の正面図である。
【発明を実施するための形態】
【００１７】
発明の実施の形態について図面を参照して説明すると、図１と図２に示すように、実施形態例に係る可動役物装置が適用された遊技機（パチンコ機）は、遊技場の島設備に設置される縦長方形状の機枠１と、機枠１に扉状に開閉自在に取り付けられた機器本体２と、機器本体２の前面に扉状に開閉自在に取り付けられた前面扉３等を備えており、前面扉３にはガラスやプラスチック等からなる透明板４が取り付けられている。
【００１８】
機枠１の左下隅部には大型のスピーカ５が配設されており、このスピーカ５は前面扉３の切り欠き内に位置して前方に露出している。機器本体２の上部内側には後述する遊技盤６が収納されており、この遊技盤６の盤面（前面）は透明板４を透して外部から目視可能となっている。また、機器本体２の右側枠部にはシリンダ錠７ａを有する施錠装置７が設置されており、図示省略されているが、この施錠装置７は機器本体２の裏面に配置された後部施錠杆と機器本体２の前面に配置された前部施錠杆とを備えている。常態では、施錠装置７の後部施錠杆によって機枠１に対して機器本体２が施錠されると共に、前部施錠杆によって機器本体２に対して前面扉３が施錠されている。そして、シリンダ錠７ａの鍵穴に図示せぬ鍵を差し込み、この鍵を一方向（例えば時計回り）へ回動すると、後部施錠杆が下動して機器本体２が開錠されるようになっている。また、シリンダ錠７ａの鍵穴に差し込んだ鍵を他方向（反時計回り）へ回動すると、前部施錠杆が上動して前面扉３が開錠されるようになっている。
【００１９】
前面扉３には遊技盤６の盤面に対向する大きな開口３ａが開設されており、この開口３ａは透明板４によって塞がれている。前面扉３の前面上部には比較的小型のスピーカ８が左右に１個ずつ配設されており、これらスピーカ８と前述した大型のスピーカ５とによって遊技に関する様々な効果音を発するようになっている。さらに、前面扉３の前面下部には、遊技盤６の裏面に配設された賞球払出装置（後述する）から払い出された遊技球を収容する上段受皿９と、上段受皿９から排出された遊技球を収容する下段受皿１０と、遊技者による押下操作が可能なプッシュ釦１１等が設けられており、上段受皿９の右側方には操作ハンドル１２が配設されている。
【００２０】
機枠１の左側枠部には上側軸受け体１３と下側軸受け体１４が固着されており、これら両軸受け体１３，１４に本体枠２の左側枠部の上下両端に設けた第１ピン（図示省略）を軸支することによって、本体枠２を機枠１に対して開閉自在に支持する第１ヒンジ機構が構成されている。一方、前面扉３の左側枠部の上下両端には第２ピン（図示省略）が設けられており、これら両第２ピンを本体枠２の左側枠部に突設した上下の支持板２ａに軸支することによって、前面扉３を本体枠２に対して開閉自在に支持する第２ヒンジ機構が構成されている。また、本体枠２の上部内側は遊技盤６の収納スペースとなっており、この収納スペースの下方は前面扉３によって覆い隠される設置部２ｂとなっている。設置部２ｂ内の下部中央には遊技球を遊技領域９に向けて発射する発射装置１５が配設されており、前述した操作ハンドル１２の回動操作量に応じて発射装置１５の発射強度が調整されるようになっている。
【００２１】
図３に示すように、遊技盤６の裏面側には、遊技に関する主要な処理を行う主制御処理部１６と、主制御処理部１６からの指令を受けて前述したスピーカ５，８や後述する可変表示装置や可動役物装置等の各種装置を制御する副制御処理部１７と、前述した賞球払出装置１８と、主制御処理部１６からの指令を受けて賞球払出装置１８を制御する払出制御処理部１９と、操作ハンドル１２の回動操作量に応じて前記発射装置１５の作動を制御する発射制御処理部２０と、賞球数や大当たり回数等の各種情報を遊技場のホールコンピュータに出力する外部端子基板２１等が設けられている。主制御処理部１６は、ＣＰＵ（Central Processing Unit）と、予め定められた制御プログラムを格納するＲＯＭ（Read Only Memory）と、生成された処理情報の一時記憶および記憶した情報の削除を行うＲＡＭ（Random Access Memory）等が実装された制御基板（メイン基板）とを備えており、このＣＰＵがＲＯＭに格納された各種プログラムやデータを読み込んで実行することにより、遊技に関する主要な処理が行われる。
【００２２】
図４に示すように、遊技盤６の前面はガイドレール２２等によって略円形状に区画された遊技領域２３となっており、遊技者が操作ハンドル１２を任意角度まで回動操作すると、前記発射装置１５が上段受皿９に保留された遊技球を遊技領域２３に向けて連続的に打ち出すようになっている。遊技領域２３の上部中央付近にはセンター役物２４が配置されており、このセンター役物２４は、中央部に矩形状の開口部２５ａを有する装飾枠２５と、装飾枠２５の上壁部に配設された可動物ユニット２６と、装飾枠２５の両側壁部に配設された左右一対の可動役物装置３８と、装飾枠２５の裏面側に配置された可変表示装置２７等を具備している。可変表示装置２７は液晶パネル（ＬＣＤ）からなり、その表示画面２７ａは装飾枠２５の開口部２５ａから露出している。
【００２３】
装飾枠２５の下壁部には左右方向へＶ字形状に延びるステージ２８が設けられており、このステージ２８の中央部には前方側へ傾斜する誘導溝２８ａが形成されている。また、装飾枠２５の左側壁には中空構造のワープ通路２９が形成されており、このワープ通路２９の両端は遊技領域２３とステージ２８に向けてそれぞれ開口している。したがって、センター役物２４の左側の遊技領域２３を流下する遊技球がワープ通路２９に入球すると、その遊技球はワープ通路２９の内部を通ってステージ２８に排出された後、ステージ２８上を転動して誘導溝２８ａへと導かれる。
【００２４】
ステージ２８の誘導溝２８ａの真下位置には上面を開口した単純構造の第１始動入賞口３０が配設されており、ステージ２８上を転動して誘導溝２８ａから落下した遊技球が高い確率で第１始動入賞口３０に入賞するようになっている。第１始動入賞口３０の真下には第２始動入賞口３１が配設されており、この第２始動入賞口３１は一対の可動片を有する電動チューリップ構造の始動入賞口となっている。そして、これら第１および第２始動入賞口３０，３１のいずれか一方に遊技球が入賞すると、それを契機として特別図柄に係る電子抽選が行われ、その抽選結果に基づいて可変表示装置２７の表示画面２７ａ上で演出用図柄の変動表示および停止表示が行われる。また、装飾枠２５の右下隅部にスルーチャッカー３２が配設されており、センター役物２４の右側に打ち出された遊技球がこのスルーチャッカー３２を通過すると、それを契機として普通図柄に係る電子抽選が行われ、その抽選結果が当たりの場合に第２始動入賞口３１の両可動片を一時的に開放して遊技球の入賞を許可するようになっている。
【００２５】
さらに、ステージ２８の右斜め下方位置にはアタッカ装置３３が配設されており、このアタッカ装置３３は内部の大入賞口を開閉可能な横長形状の開閉扉を有している。アタッカ装置３３は、第１および第２始動入賞口３０，３１のいずれか一方に遊技球が入賞することを契機に行われる特別図柄に係る電子抽選の結果、当たりとなって大当たり遊技状態（特別遊技モード）へ移行した場合に作動される装置である。具体的には、特別図柄の抽選結果が当たりの場合、アタッカ装置３３の開閉扉が複数回繰り返して開放動作することにより、大入賞口を露呈させて遊技球の入賞を許可するようになっている。開閉扉は１回の開放動作（１ラウンド）について例えば３０秒経過するまで、あるいは遊技球が大入賞口に例えば１０個入るまで開放状態を維持し、かかる開放動作を例えば１５回繰り返した後に大当たり遊技が終了する。
【００２６】
その他、遊技領域２３には、遊技球の払い出しのみを行う複数の一般入賞口３４や、遊技球の流下経路を担う風車３５と複数本の遊技釘３６等が配設されており、いずれの始動入賞口３０，３１や一般入賞口３４にも入賞しなかった遊技球は、遊技領域２３の最下端部に設けられたアウト口３７から遊技盤６の裏面側に排出されるようになっている。
【００２７】
可動物ユニット２６と一対の可動役物装置３８は前述した特別図柄に係る電子抽選の結果を可動物の可動態様や光源の照光態様によって遊技者に示唆することができる装置であり、これら可動物ユニット２６と可動役物装置３８による演出は主制御処理部１６が動作を決定し、決定した動作に基づいて副制御処理部１７に制御信号を送ることにより実行される。副制御処理部１７は、主制御処理部１６から送られた制御信号に基づいて、可動物の駆動源であるモータと光源であるＬＥＤにそれぞれ駆動信号を送る。これによりモータを回転させて各可動物が所定の動作を行ったり、ＬＥＤを点灯させて各可動物が照光するようになっている。
【００２８】
可動物ユニット２６は上下方向に並んだ２つの可動体２６ａ，２６ｂを有しており、これら可動体２６ａ，２６ｂはモータを駆動源とする図示せぬ駆動機構によって動作されるようになっている。可動物ユニット２６の動作について簡単に説明すると、図４に示すように、常態（非動作状態）では、両可動体２６ａ，２６ｂは可変表示装置２７の表示画面２７ａ上方の初期位置で停止している。この状態でモータを始動して駆動機構を動作させると、図２２に示すように、両可動体２６ａ，２６ｂを保持する支持体２６ｃが初期位置から表示画面２７ａの中央部に向かって落下すると共に、両可動体２６ａ，２６ｂが互いに離反するように上下動する。なお、可動物ユニット２６は単独で動作されるだけでなく、後述する可動役物装置３８と同時に動作されることもある。
【００２９】
一対の可動役物装置３８は可変表示装置２７の表示画面２７ａを介して左右対称の形状に構成されており、両者は形状が対称である点を除くと基本的な構成や動作は同じであるため、以下、左側の可動役物装置３８について詳細に説明し、右側の可動役物装置３８についての説明は省略する。
【００３０】
図５〜図２２に示すように、この可動役物装置３８は、ベース部材としての固定ベース３９および支持ベース４０と、固定ベース３９の裏面下部に搭載されたモータ４１と、モータ４１を駆動源として左右方向へ往復移動する移動ベース４２と、移動ベース４２に回転可能に保持された複数（本実施形態例では４つ）の可動片４３と、固定ベース３９の前方に固定された前面ベース４４と、前面ベース４４に取り付けられた配線基板４５と、移動ベース４２の移動に伴って左右方向へ往復移動する従動ベース４６等によって主に構成されている。
【００３１】
固定ベース３９は可変表示装置２７を包囲する遊技盤６にネジ止め等の固定手段を用いて取り付けられており、この固定ベース３９には可動片４３に対応して４つの長孔３９ａが形成されている。また、固定ベース３９の上端部と下端部近傍にはガイド孔３９ｂが形成されており、これらガイド孔３９ｂと各長孔３９ａはいずれも移動ベース４２の移動方向（直線Ｘ１−Ｘ２方向）と平行に延びている。
【００３２】
支持ベース４０は固定ベース３９の背面にネジ止め固定されており、この支持ベース４０には可動片４３に対応して４つのガイド溝４０ａが形成されている。これらガイド溝４０ａは放射状に延びる複数の直線状ガイド溝であり、移動ベース４２の移動方向に対して各ガイド溝４０ａの交差角度は互いに異なっている。具体的には、図９において、最上段のガイド溝４０ａは直線Ｘ１−Ｘ２に対して所定角度（＋θ１）で交差するように右下がりに延びており、最下段のガイド溝４０ａは直線Ｘ１−Ｘ２に対して−θ１の角度で交差するように右上がりに延びている。また、上から２段目のガイド溝４０ａは直線Ｘ１−Ｘ２に対してθ１より小さな角度（＋θ２）で交差するように右下がりに延びており、上から３段目のガイド溝４０ａは直線Ｘ１−Ｘ２に対して−θ２の角度で交差するように右上がりに延びている。すなわち、２段目と３段目のガイド溝４０ａの中間を通って直線Ｘ１−Ｘ２と平行に延びる直線をＱとすると、４つのガイド溝４０ａは、この直線Ｑ上で右方向へ大きく離れた任意点を中心に放射状に延びる形状となっている。また、支持ベース４０には上下方向（図２２の直線Ｙ１−Ｙ２方向）に延びるシャフト４７が回転可能に支持されており、このシャフト４７には１つのアイドルギア４８と２つのピニオン４９が固着されている。アイドルギア４８はモータ４１の出力軸Ｅ（図２２参照）に固着された別のアイドルギア５０に噛合しており、モータ４１の回転は両アイドルギア５０，４８を介してシャフト４７に伝達される。
【００３３】
移動ベース４２は上下に２分割された樹脂成形品からなり、これら分割成形品を金属製の補強板５１で連結することで背面視コ字状の一体品となっている。ただし、機械的強度を十分に確保することが可能であれば、移動ベース４２を一体成形品として補強板５１を省略しても良い。移動ベース４２は固定ベース３９と支持ベース４０との間に移動可能に配置されており、この移動ベース４２には可動片４３に対応して４つの軸孔４２ａが形成されている。また、移動ベース４２の上下両端部の前面にはガイド突起５２ａを有する伝達部材５２がネジ止め固定されており、これらガイド突起５２ａはガイド孔３９ｂを挿通して固定ベース３９の前方へ突出している。ガイド突起５２ａは平面視コ字状に形成されており、その前端面に凹部５２ｂを有している。さらに、移動ベース４２の上下両端部にはラック４２ｂが設けられており、これらラック４２ｂは移動ベース４２の移動方向と平行に延びている。前述した一対のピニオン４９はそれぞれラック４２ｂと噛合しており、シャフト４７の回転がピニオン４９とラック４２ｂの噛合箇所を介して移動ベース４２に伝達されることにより、移動ベース４２は固定ベース３９の左右方向（直線Ｘ１−Ｘ２方向）へ往復移動するようになっている。すなわち、モータ４１からシャフト４７を介して両ラック４２ｂに至る各部材により、移動ベース４２を左右方向へ往復移動する駆動機構が構成されている。なお、移動ベース４２の下端には遮光壁４２ｃが突出形成されており、固定ベース３９の下部に取り付けられたフォトインタラプタ５３の光路を遮光壁４２ｃが遮断することにより、移動ベース４２の原点位置を検出することができるようになっている。
【００３４】
可動片４３は椀状の第１照光体５４と平板状のリフレクタ５５とで構成されており、リフレクタ５５は第１照光体５４の背面を覆うようにネジ止め固定されている。これにより、可動片４３の内部に中空の閉鎖空間βが形成される（図２２参照）。第１照光体５４はポリカーボネイト等の光透過性樹脂を用いて成形されており、図１５に示すように、第１照光体５４の外表面と内表面はレンズカット形状やリフレクタ形状と呼ばれる凹凸形状の光拡散面５４ｂとなっている。４つの第１照光体５４は個々に異なる全体形状をしているが、いずれも先端側（図９のＸ１方向）を尖らせた尖鋭形状となっており、先端部から離れた第１照光体５４の内表面には、支軸５４ａが前後方向（図２２の直線Ｆ１−Ｆ２方向）へ延びるように設けられている。リフレクタ５５は樹脂板の表面にクロム等の金属メッキを施したものからなり、第１照光体５４の内表面と対向するリフレクタ５５の前面は凹凸形状の反射面５５ｂとなっている。４つのリフレクタ５５は対応する第１照光体５４の平面形状と同一形状となっており、各第１照光体５４の支軸５４ａは対応するリフレクタ５５の貫通孔５５ａを挿通して後方の長孔３９ａ側へ突出している。
【００３５】
４つの可動片４３は固定ベース３９の前面側に上下方向（図２２の直線Ｙ１−Ｙ２方向）へ所定間隔を存して一列に配置されており、各可動片４３から突出する支軸５４ａには鍔付きのスペーサ５６がそれぞれ挿入されている。これら支軸５４ａは固定ベース３９の対応する長孔３９ａを挿通して移動ベース４２の軸孔４２ａ内に挿入されており、その挿入量がスペーサ５６によって規定されるようになっている。一方、移動ベース４２の後方から軸孔４２ａ内に中継片５７の円筒軸５７ａが挿入されており、これら支軸５４ａと中継片５７をネジ止め固定することにより、各可動片４３は移動ベース４２の軸孔４２ａに回転可能に保持されている。各中継片５７には円筒軸５７ａの軸心から所定距離（図１０に示す長さＬ）だけ離反した偏心位置にガイドピン５７ｂが設けられており、これらガイドピン５７ｂは支持ベース４０の対応するガイド溝４０ａ内に摺動可能に挿入されている。なお、図２２に示すように、中継片５７には鍔状のスライダー５７ｃが設けられており、このスライダー５７ｃによりガイドピン５７ｂのガイド溝４０ａ内の摺動をアシストさせるようにしている。すなわち、可動片４３は移動ベース４２の軸孔４２ａを中心に回転可能であるが、その回転中心（円筒軸５７ａの軸心）から長さＬだけ離れた偏心位置でガイドピン５７ｂがガイド溝４０ａと係合することによって回転規制されている。そして、ガイド溝４０ａの延出方向が移動ベース４２の移動方向に対して交差しているため、移動ベース４２が左右方向へ移動してガイドピン５７ｂがガイド溝４０ａ内を摺動することにより、可動片４３は軸孔４２ａを中心に回転しながら自身の姿勢を変化させる。
【００３６】
前面ベース４４は、前後方向に積層一体化された第１装飾板５８および第２装飾板５９と、配線基板４５を介して第２装飾板５９の裏側に重ねられた透明板６０とで構成されており、これら第１および第２装飾板５８，５９と透明板６０はネジ止めにより一体化されている。第１装飾板５８と第２装飾板５９は無色透明または有色透明な樹脂で成形されており、両者の前面には弾丸を模した装飾や凹凸形状の模様等が施されている。前面ベース４４は上ガイド体６１と下ガイド体６２を介して固定ベース３９に固定されており、透明板６０と上ガイド体６１および下ガイド体６２にはガイド孔６０ａ，６１ａ，６２ａがそれぞれ形成されている。
【００３７】
配線基板４５の表裏両面には光源として複数のＬＥＤが実装されており、そのうち、配線基板４５の表面（前面）側に実装されたＬＥＤ６３の光が第１装飾板５８と第２装飾板５９に向けて照射され、配線基板４５の裏面側に実装されたＬＥＤ６４の光が透明板６０に向けて照射されるようになっている。これらＬＥＤ６３とＬＥＤ６４の大部分は正面発光タイプのチップＬＥＤであるが、図１６に示すように、配線基板４５の裏面側における外縁部に実装されたＬＥＤ６４の幾つかは側面発光タイプのチップＬＥＤ（符号６４ａを付す）である。その他、配線基板４５の裏面側には複数のコネクタ６５が実装されており、各コネクタ６５に接続された図示せぬワイヤーハーネスを介して各ＬＥＤ６３，６４（６４ａ）に電力が供給されるようになっている。
【００３８】
従動ベース４６は固定ベース３９と前面ベース４４との間に配置され、透明板６０と上下ガイド体６１，６２の各ガイド孔６０ａ，６１ａ，６２ａによって左右方向へ移動可能にガイドされている。なお、従動ベース４６には複数のローラ４６ｂが回転自在に軸支されており、これらローラ４６ｂを対応するガイド孔６０ａ，６１ａ，６２ａに挿入することにより、従動ベース４６が直線Ｘ１−Ｘ２方向へスムーズに移動するようになっている。この従動ベース４６はポリカーボネイト等の光透過性樹脂を用いて成形されており、複数の第２照光体６６が上下方向（図２２の直線Ｙ１−Ｙ２方向）へ所定間隔を存して一体成形されている。第２照光体６６と可動片４３の個数は同じであり、本実施形態例の場合、４つの第２照光体６６が対応する可動片４３の前方（図２２のＦ１方向）に重なるように配置されている。第２照光体６６は前述した第１照光体５４と同様に椀状に形成されており、その外表面と内表面は凹凸形状の光拡散面６６ａとなっている。また、４つの第２照光体６６は個々に異なる全体形状をしているが、いずれも第１照光体５４と同様に先端側（図９のＸ１方向）を尖らせた尖鋭形状となっている。ただし、各第２照光体６６の左右方向（直線Ｘ１−Ｘ２方向）の長さは対応する可動片４３（第１照光体５４）よりも短く設定されている。従動ベース４６の上下方向の両端面には伝達ピン４６ａが設けられており、これら伝達ピン４６ａは移動ベース４２に固定された伝達部材５２の凹部５２ｂ内に挿入されている。したがって、移動ベース４２の移動に伴って凹部５２ｂの水平方向の左右端面（図２２の参考側面にて示す前端面Ｗ１、後端面Ｗ２）が伝達ピン４６ａに当接すると、従動ベース４６が移動ベース４２と一緒に左右方向へ移動する。ただし、凹部５２ｂの水平方向における左右の長さ（不感帯領域Ｓ）は伝達ピン４６ａの直径に比べて十分に長く設９定されているため、伝達ピン４６ａが凹部５２ｂの前端面Ｗ１と後端面Ｗ２から離れた非当接位置にあるとき、移動ベース４２だけが移動して従動ベース４６は移動しない。
【００３９】
このように構成された遊技機（パチンコ機）において、通常、左右一対の可動役物装置３８はモータ４１に通電されない非動作状態となっており、図４に示すように、第１照光体５４（可動片４３）や第２照光体６６等を含む可動物の大部分は前面ベース４４によって覆い隠されている。なお、可動物ユニット２６もモータ（図示せず）に通電されない非動作状態となっており、両可動体２６ａ，２６ｂは可変表示装置２７の表示画面２７ａ上方の初期位置で停止している。
【００４０】
図５〜図１１は可動役物装置３８の非動作状態を示し、この非動作状態で移動ベース４２と従動ベース４６は図１０の矢印Ｘ２方向の末端位置である初期位置で停止しており、当該位置を退避位置と呼ぶと、シャフト４７の両ピニオン４９は退避位置で上下のラック４２ｂの前端部と噛合している。この場合、図９に示すように、４つの可動片４３のそれぞれに一体化された各ガイドピン５７ｂは対応するガイド溝４０ａの後端部（Ｘ２方向の端部）と係合しており、各可動片４３は自身の回転中心とガイドピン５７ｂによって規定される所定の姿勢で停止している。また、従動ベース４６の伝達ピン４６ａは伝達部材５２の凹部５２ｂの前端面Ｗ１と当接しており、従動ベース４６に設けられた４つの第２照光体６６は対応する４つの可動片４３と前後方向に重なった状態で停止している。したがって、前方から遊技者が可動役物装置３８を見たとき、可動片４３（第１照光体５４）と第２照光体６６の先端部は視認できるが、それ以外のほとんどの表面部分は前面ベース４４で覆われて視認されないようになっている。
【００４１】
この状態でモータ４１に通電して一方向へ始動させると、モータ４１の回転が両アイドルギア５０，４８を介してシャフト４７に伝達された後、シャフト４７の回転がピニオン４９とラック４２ｂの噛合箇所を介して移動ベース４２へと伝達されるため、移動ベース４２が退避位置から表示画面２７ａの中央部に向かって矢印Ｘ１方向へ移動し始める。その結果、移動ベース４２に回転可能に保持された可動片４３も矢印Ｘ１方向へ移動し、ガイドピン５７ｂがガイド溝４０ａの後端部から前端部に向かって移動する。その際、可動片４３の回転中心（支軸５４ａの中心）は矢印Ｘ１方向へ移動するが、ガイド溝４０ａは移動ベース４２の移動方向（直線Ｘ１−Ｘ２）に対して交差しているため、移動ベース４２が矢印Ｘ１方向へ移動すると、可動片４３はガイドピン５７ｂのガイド溝４０に沿った移動に応じて軸孔４２ａを中心に回転しながら姿勢を変えていく。
【００４２】
そして、ピニオン４９がラック４２ｂの後端部まで移行した時点でモータ４１の回転を停止すると、図１７〜図２１に示すように、移動ベース４２は矢印Ｘ１方向の末端位置まで移動して停止する。当該位置を突出位置と呼ぶと、この突出位置でガイドピン５７ｂはガイド溝４０ａの前端部（Ｘ１方向の端部）と係合しており、各可動片４３は互いの先端部を近接させた姿勢で前面ベース４４から突出する。これにより、前面ベース４４の裏側に隠れていた４つの可動片４３を表示画面２７ａ内に突出させるという直線的な動きに、突出量が大きくなるにつれて各可動片４３の先端側を次第に近付けるという回転動作が付加されるため、インパクトが高く斬新な可動演出を行うことができる。
【００４３】
また、このようにして移動ベース４２が退避位置から突出位置に向かって移動し始めると、まず、伝達部材５２の凹部５２ｂの前端面Ｗ１が伝達ピン４６ａから離れ、移動ベース４２が矢印Ｘ１方向へ所定量だけ移動した後、凹部５２ｂの後端面Ｗ２が伝達ピン４６ａに当接する。すなわち、この間は移動ベース４２から従動ベース４６へ動力伝達が行われない不感帯領域Ｓ（遊び領域）であるため、従動ベース４６は退避位置に停止したまま移動せず、各第２照光体６６は先端側の一部を除くほとんどが前面ベース４４に覆い隠された状態を維持する。そして、伝達ピン４６ａが凹部５２ｂの後端面Ｗ２に当接した後、さらに移動ベース４２が矢印Ｘ１方向へ移動すると、移動ベース４２の動きが伝達部材５２と伝達ピン４６ａを介して従動ベース４６へ伝達されるため、従動ベース４６が移動ベース４２と一緒に突出位置へと移動し、各第２照光体６６が先に前面ベース４４から突出するように移動している可動片４３の前方を覆うように遅れたタイミングで重なる。その際、図１９と図２１から明らかなように、第２照光体６６の先端位置よりも可動片４３の先端位置がＸ１方向（表示画面２７ａの中央部寄り）へ突出しており、可動片４３（第１照光体５４）の先端部を含む大部分は第２照光体６６に覆われることなく露出した状態となっている。これにより、前面ベース４４から段階的に前後方向の位相差を持って配置された第１照光体５４と第２照光体６６とにおける先端部の突出量（左右位置）を異ならせて左右突出方向の位相差を持たせると共に、第１照光体５４から出射したリフレクタ５５の反射光γ４を第２照光体６６の光拡散面６６ａを透過して前方へ出射させて、第１照光体５４の表面に比べて第２照光体６６の表面に反射光付加の煌めき変化を与えることにより、ＬＥＤ６３の光が第１照光体５４に向けて照射される前面ベース４４から表示画面２７ａに至る前後方向の奥行き感を、役物配置関係および発光態様に基づき効果的に高めて表現できるようにしている。
【００４４】
本実施形態例の場合、一対の可動役物装置３８が可変表示装置２７の表示画面２７ａの左右両側に配設されているため、複数の可動片４３と第２照光体６６を表示画面２７ａの側方から中央部に向けて突出させるという可動演出を行うことができる。また、図２３に示すように、これら一対の可動役物装置３８と可動物ユニット２６とを同時に動作させることにより、表示画面２７ａの中央部に落下した可動物ユニット２６を挟むように可動片４３と第２照光体６６が両側から近付いていく、というダイナミックな可動演出を行うことができる。
【００４５】
一方、移動ベース４２が突出位置にあるときにモータ４１を上記と反対方向へ回転すると、まず、移動ベース４２だけが突出位置から矢印Ｘ２方向に向かって移動し、伝達ピン４６ａが凹部５２ｂの後端面Ｗ２から離れて前端面Ｗ１に当接すると、その後は移動ベース４２と従動ベース４６が一緒に退避位置まで移動する。その結果、各可動片４３が元の姿勢に戻って停止すると共に、各第２照光体６６が対応する可動片４３の前方に重なった状態で停止し、これら可動片４３と第２照光体６６は再び前面ベース４４の裏側に隠れて見えなくなる。
【００４６】
また、移動ベース４２が退避位置と突出位置との間を移動しているとき、あるいは移動ベース４２が突出位置で停止しているときに、配線基板４５の各ＬＥＤ６３，６４に電力を供給すると、配線基板４５の表面側に実装されたＬＥＤ６３の光によって前面ベース４４の第１装飾板５８と第２装飾板５９を照光することができると共に、配線基板４５の裏面側に実装されたＬＥＤ６４（６４ａ）の光によって可動片４３の第１照光体５４と第２照光体６６を照光することができる。
【００４７】
ここで、可動片４３は第１照光体５４とその背面を覆うリフレクタ５５とで構成されており、椀状の第１照光体５４と第２照光体６６の表面がそれぞれ凹凸形状の光拡散面５４ｂ，６６ａとなっているので、配線基板４５の裏面側に実装されたＬＥＤ６４の光は、透明板６０と第２照光体６６を透過して第１照光体５４に入射した後、リフレクタ５５の反射面５５ｂで拡散反射して第１照光体５４から出射することになる。
【００４８】
これを図２２を参照して詳細に説明すると、配線基板４５の裏面側に実装された各ＬＥＤ６３に電力が供給されると、各ＬＥＤ６３から所定の指向角を有する照射光γ１が透明板６０に向けて出射され、これら照射光γ１が透明板６０を透過して第２照光体６６の外表面に照射される。第２照光体６６の外表面に照射された照射光γ１は、第２照光体６６を透過する際に表裏両面の光拡散面６６ａで光拡散された後、符号γ２で示すように第１照光体５４（可動片４３）の外表面に照射される。この照射光γ２は、第１照光体５４を透過する際に表裏両面の光拡散面５４ｂで光拡散された後、符号γ３で示すように可動片４３内の閉鎖空間βを通ってリフレクタ５５の反射面５５ｂに照射される。リフレクタ５５の反射面５５ｂに照射された照射光γ３は、反射面５５ｂで乱反射して閉鎖空間βに戻って第１照光体５４の裏面に照射され、第１照光体５４を透過する際に再び光拡散面５４ｂで光拡散された後、符号γ４で示すように第１照光体５４の外表面から前方へ照射される。その際、第２照光体６６と第１照光体５４（可動片４３）が前後方向（Ｆ１−Ｆ２方向）に重なっている箇所においては、第１照光体５４から出射した反射光γ４が第２照光体６６の裏面に向けて照射されるため、この反射光γ４が第２照光体６６を透過する際に再び光拡散面６６ａで光拡散された後、第２照光体６６の外表面から前方へ照射されることになる。
【００４９】
したがって、図１９に示すように、可動片４３（第１照光体５４）と第２照光体６６の両方が前面ベース４４から突出しているとき、第２照光体６６と重ならずに露出している可動片４３の先端部分については、第１照光体５４から出射したリフレクタ５５の反射光γ４がそのまま遊技者に向けて照射されるため、可動片４３の先端部分を恰もガラスの破片のようにギラギラと照光させることができる。一方、可動片４３の後端部に重なっている第２照光体６６については、第１照光体５４から出射したリフレクタ５５の反射光γ４が第２照光体６６の光拡散面６６ａを透過して前方へ出射することにより、この第２照光体６６もガラスの破片のようにギラギラと照光させることができる。このとき、配線基板４５の外縁部に実装された側面発光タイプのＬＥＤ６４ａを同時に点灯すると、このＬＥＤ６４ａの光が第１照光体５４と第２照光体６６に対して斜め前方から照射されることで、第１照光体５４と第２照光体６６の先端側のギラギラ感を増すことができる。
【００５０】
なお、かかる第１照光体５４と第２照光体６６の照光動作は移動ベース４２の移動途中や停止時に行われ、例えば、伝達ピン４６ａが凹部５２ｂの前後両端面Ｗ１，Ｗ２と当接しない不感帯領域Ｓで移動ベース４２を往復移動させると、第２照光体６６を隠したまま可動片４３だけを前面ベース４４から出入させることができるが、このときにＬＥＤ６４を点灯すると、ギラギラと照光する可動片４３が前面ベース４４から出たり入ったりする、という斬新な照光演出と可動演出を実現することができる。あるいは、移動ベース４２が突出位置の近傍を移動中や突出位置で停止したときにＬＥＤ６４を点灯すると、前述したように、第１照光体５４と第２照光体６６の両方をギラギラと照光させることができる。したがって、第１照光体５４（可動片４３）が前面ベース４４に覆われた退避位置（初期位置）から表示画面２７ａの中高部に向かって突出する突出位置に移動する際に、前面ベース４４側の配線基板４５に実装されて移動しない各ＬＥＤ６３からの照射光によって、スライド動作と回転動作を伴って複雑に移動する第１照光体５４の外表面全体を明暗差を感じさせずに均一に発光させることができる。
【００５１】
以上説明したように、本実施形態例に係る可動役物装置３８は、移動ベース４２に回転可能に保持された複数の可動片４３が自身の回転中心（支軸５４ａの中心）から離間する偏心位置にガイドピン５７ｂを有しており、支持ベース（ベース部材）４０に設けられた複数のガイド溝４０ａに各可動片４３のガイドピン５７ｂが摺動可能に挿入されていると共に、これらガイド溝４０ａが移動ベース４２の移動方向（直線Ｘ１−Ｘ２方向）に対して交差しているため、移動ベース４２が退避位置から突出位置に向かって移動するとき、可動片４３の回転中心は移動ベース４２の移動方向と平行に移動するが、可動片４３のガイドピン５７ｂはガイド溝４０ａに沿って斜めに移動することになり、複数の可動片４３を退避位置と突出位置との間で姿勢を変化させながら往復移動させるという、インパクトの高い可動態様を実現することができる。
【００５２】
また、移動ベース４２の前方に従動ベース４６が配置され、この従動ベース４６に各可動片４３と重なるように複数の第２照光体（突出片）６６が設けられていると共に、移動ベース４２に連動して従動ベース４６が退避位置と突出位置との間を移動可能となっているため、移動ベース４２に保持された各可動片４３と従動ベース４６に設けられた各第２照光体６６との動きによって、インパクトの高い可動演出を行うことができる。しかも、移動ベース４２と従動ベース４６は常に一体的に移動するわけではなく、移動ベース４２の凹部５２ｂと従動ベース４６の伝達ピン４６ａとが非接触状態にある間だけ、移動ベース４２から従動ベース４６へ動力伝達が行われないため、従動ベース４６を停止させたまま移動ベース４２だけを移動させることができる。したがって、移動ベース４２を退避位置から突出位置に向かって所定量だけ移動した後、突出位置よりも手前側で左右方向へ小刻みに往復移動させると、従動ベース４６に設けた第２照光体６６を前面ベース４４の裏面側に隠したまま、移動ベース４２に保持した可動片４３だけが前面ベース４４から小刻みに出入りする、という斬新な照光演出と可動演出を実現することができる。
【００５３】
また、移動ベース４２の上下端部に平行に対向する一対のラック４２ｂが設けられており、支持ベース（ベース部材）４０にモータ４１に連動して回転するシャフト４７が支持されていると共に、このシャフト４７の両端部に固着されたピニオン４９がラック４２ｂに噛合しており、シャフト４７の回転に基づいてラック４２ｂを介して移動ベース４２が往復移動するようになっているため、移動ベース４２が上下方向に比較的長いものであるのにも拘わらず、この移動ベース４２を捻れを生じることなくスムーズに移動することができる。
【００５４】
また、各ガイド溝４０ａが移動ベース４２の移動方向に対して異なる角度で交差する直線状ガイド溝であり、そのうち、中央側のガイド溝４０ａよりも上下両端側のガイド溝４０ａの方が大きな交差角度に設定されているので、各可動片４３が回転しながら放射状の姿勢になるという動きを実現できる。かかる動きを別の表現で説明すると、４つの可動片４３が表示画面２７ａの中央部に向かう方向へ移動するのに連れて、片手の４本指を開いた形状から各指の間隔を閉じ合わせた手刀形状に変化するという可動態様である。ただし、各ガイド溝４０ａの延出方向は可動片４３の動きを考慮して任意に設定可能であり、例えば、上記した可動態様と反対の動きを実現する場合は、図９において最上段と２段目のガイド溝４０ａを右上がりにすると共に、３段目と最下段のガイド溝４０ａを右下がりにすれば良い。また、中央側のガイド溝４０ａだけを移動ベース４２の移動方向と平行に設定したり、幾つかのガイド溝４０ａの交差角度を同じに設定しても良く、あるいは、ガイド溝４０ａを直線状ガイド溝とする代わりに、緩やかなカーブを描く円弧状ガイド溝とすることも可能である。
【００５５】
また、本実施形態例では、一対の可動役物装置３８を可変表示装置２７の表示画面２７ａの左右両側に配設し、これら可動役物装置３８に備えられるそれぞれの移動ベース４２が退避位置から突出位置に向かって移動するとき、左右の各可動片４３がそれぞれの先端部を近付けるように回転するようになっているので、左右両側から複数の可動片４３が表示画面２７ａの中心に向かって突出する、という斬新でインパクトの高い可動態様を実現することができる。ただし、可動役物装置３８の配設場所は適宜に設定可能であり、例えば、表示画面２７ａの左右いずれか一方にのみ廃止したり、表示画面２７ａの上方位置や下方位置等に配置することも可能である。
【００５６】
なお、上記実施形態例では、可動片４３の回転軸である支軸５４ａに中継片５７をネジ止め固定し、この中継片５７にガイド溝４０ａと係合するガイドピン５７ｂを設けた場合について説明したが、可動片４３にガイドピン５７ｂを一体的に設けることも可能であり、要は、可動片４３の回転中心から離間する位置にガイドピンが設けられていれば良い。
【００５７】
また、上記実施形態例では、本発明による可動役物装置３８をパチンコ機に適用した場合について説明したが、スロットマシン等の他の遊技機に適用することも可能である。
【符号の説明】
【００５８】
６  遊技盤
２３  遊技領域
２４  センター役物
２６  可動物ユニット
２７  可変表示装置
２７ａ  表示画面
３８  可動役物装置
３９  固定ベース（ベース部材）
４０  支持ベース（ベース部材）
４０ａ  ガイド溝
４１  モータ
４２  移動ベース
４２ａ  軸孔
４２ｂ  ラック
４３  可動片
４４  前面ベース
４５  配線基板
４６  従動ベース
４６ａ  伝達ピン
４７  シャフト
４８，５０  アイドルギア
４９  ピニオン
５２  伝達部材
５２ａ  ガイド突起
５２ｂ  凹部
５４  第１照光体
５４ａ  支軸
５５  リフレクタ
５７  中継片
５７ａ  円筒軸
５７ｂ  ガイドピン
６３，６４  ＬＥＤ
６６  第２照光体（突出片）
【図１】
2014033863.tif 000003
【図２】
2014033863.tif 000004
【図３】
2014033863.tif 000005
【図４】
2014033863.tif 000006
【図５】
2014033863.tif 000007
【図６】
2014033863.tif 000008
【図７】
2014033863.tif 000009
【図８】
2014033863.tif 000010
【図９】
2014033863.tif 000011
【図１０】
2014033863.tif 000012
【図１１】
2014033863.tif 000013
【図１２】
2014033863.tif 000014
【図１３】
2014033863.tif 000015
【図１４】
2014033863.tif 000016
【図１５】
2014033863.tif 000017
【図１６】
2014033863.tif 000018
【図１７】
2014033863.tif 000019
【図１８】
2014033863.tif 000020
【図１９】
2014033863.tif 000021
【図２０】
2014033863.tif 000022
【図２１】
2014033863.tif 000023
【図２２】
2014033863.tif 000024
【図２３】
2014033863.tif 000025